(57)【特許請求の範囲】
【請求項１】
流体（２）用のネブライザ（１）であって、前記流体（２）を収容した挿入可能な容器（３）を有し、前記容器（３）は、前記流体（２）のための流体出口（２４）を有し、前記流体出口（２４）は、前記ネブライザ（１）の出荷状態では第１のクロージャ（２５）によって閉鎖され、前記容器（３）は、前記出荷状態では前記ネブライザ（１）内に既に納められており、前記ネブライザ（１）は、前記流体（２）を前記容器（３）から前記ネブライザ（１）または前記ネブライザ（１）の圧力発生器（５）に運搬する運搬要素、特に運搬管（９）を有し、前記ネブライザ（１）は、第１のクロージャ（２５）及び前記流体出口（２４）が前記運搬要素の挿入による前記ネブライザ（１）の最初の使用前に又は最初の使用中、前記ネブライザ（１）内で開放されるよう構成されているネブライザにおいて、
前記第１のクロージャ（２５）は、前記容器（３）の前記流体出口（２４）の側から前記容器（３）に収容された前記流体（２）中に延びるクロージャ部分（２７）により形成され又は支持され、前記運搬要素は、前記出荷状態では、前記第１のクロージャ（２５）を開放せずに、部分的に前記クロージャ部分（２７）により取り囲まれ、前記容器（３）内に既に部分的に挿入されている、
ことを特徴とするネブライザ。
【請求項２】
前記容器（３）は、前記流体出口（２４）を閉鎖する第２のクロージャ（２６）を有し、前記第２のクロージャ（２６）は、前記出荷状態では前記運搬要素によって既に開放されている、
請求項１記載のネブライザ。
【請求項３】
流体（２）用のネブライザ（１）であって、前記流体（２）を収容した挿入可能な容器（３）を有し、前記容器（３）は、前記流体（２）のための流体出口（２４）を有し、前記流体出口（２４）は、前記ネブライザ（１）の出荷状態では閉鎖され、前記容器（３）は、前記出荷状態では前記ネブライザ（１）内に既に納められており、前記ネブライザ（１）は、前記流体出口（２４）が前記ネブライザ（１）の最初の使用前に又は最初の使用中、前記ネブライザ（１）内で開放されるよう構成され、前記容器（３）は、第１の好ましくは内側のクロージャ（２５）及び前記流体出口（２４）を閉鎖する第２の好ましくは外側のクロージャ（２６）を有するネブライザにおいて、
前記第２のクロージャ（２６）は、前記出荷状態では前記ネブライザ（１）により既に開放されており、前記ネブライザ（１）は、前記第１のクロージャ（２５）が前記ネブライザ（１）の最初の使用前又は最初の使用中、前記ネブライザ（１）内で、後で別個に開放されるよう構成されている、
ことを特徴とするネブライザ。
【請求項４】
前記ネブライザ（１）は、前記流体（２）を前記容器（３）から運搬する運搬要素、特に運搬管（９）を有する、
請求項３記載のネブライザ。
【請求項５】
前記第１及び前記第２のクロージャ（２５，２６）は、前記運搬要素によって、特に穿刺又は挿入によって開放される、
請求項２又は４記載のネブライザ。
【請求項６】
前記第２のクロージャ（２６）は、前記容器（３）の挿入時又は前記ネブライザ（１）のハウジング又はハウジング部品（１８）の少なくとも部分的な閉鎖時に自動的に前記ネブライザ（１）によって開放される、
請求項２〜５のうちいずれか一に記載のネブライザ。
【請求項７】
前記第２のクロージャ（２６）は、箔のシール及び／又は第１のクロージャ（２５）を覆うシールである、
請求項２〜６のうちいずれか一に記載のネブライザ。
【請求項８】
前記ネブライザ（１）は、前記出荷状態では部分的にしか閉じられておらず、前記ネブライザ（１）の使用前又は使用中に完全に閉じられるハウジングを有し、好ましくは、前記ハウジングは、前記出荷状態では部分的にスナップ装着され又は挿入され、前記ハウジングを完全に閉鎖するために完全にスナップ装着され又は挿入されるハウジング部品（１８）を有し、特に、前記第１のクロージャ（２５）は、前記ハウジングの完全閉鎖時に自動的に開放される、
請求項１〜７のうちいずれか一に記載のネブライザ。
【請求項９】
前記第１のクロージャ（２５）は、特に前記ネブライザ（１）、好ましくは前記ネブライザ（１）のハウジング又はハウジング部品（１８）内に入れ子状に押し込むことにより開放される、
請求項１〜８のうちいずれか一に記載のネブライザ。
【請求項１０】
前記ネブライザ（１）は、前記ハウジング又は前記ハウジング部品（１８）を前記出荷状態では完全な閉鎖ができないよう軸方向に固定する固定部材（３０）を有する、請求項６、８又は９記載のネブライザ。
【請求項１１】
前記容器（３）は、前記流体の運搬中、圧力発生中及び／又は噴霧化中、好ましくはストローク動作で動くことができる、
請求項１〜１０のうちいずれか一に記載のネブライザ。
【請求項１２】
前記ネブライザ（１）は、特に前記第１のクロージャ（２６）を開くことができないよう前記容器（３）を前記出荷状態では動くことができないよう保持する輸送ロック（２９）を有する、
請求項１〜１１のうちいずれか一に記載のネブライザ。
【請求項１３】
前記輸送ロック（２９）は、前記第１のクロージャ（２５）の開放前又は開放中且つ／或いは前記ネブライザ（１）のハウジング又はハウジング部品（１８）により且つ／或いは前記ネブライザ（１）のハウジングの完全閉鎖時に解除可能であり、開放可能であり又はロック解除可能である、
請求項１２記載のネブライザ。
【請求項１４】
前記輸送ロック（２９）は、前記容器（３）をロック解除し又は解除するよう撓むことができる少なくとも１つの把持アーム（３５）及び／又は前記容器（３）をロック解除し又は解除するよう好ましくはハウジング部品内で軸方向に動くことができる制御部材（３９）、特にリングを有し、好ましくは、前記把持アーム（３５）及びオプションとしての穿刺要素（２２）が前記ネブライザ（１）の前記ハウジング部品（１８）の底部又は部材（３７）によって形成される、
請求項１２又は１３記載のネブライザ。
【請求項１５】
前記ネブライザ（１）は、特にエーロゾル療法用の吸入器として構成されている、
請求項１〜１４のうちいずれか一に記載のネブライザ。
【請求項１６】
前記第１のクロージャ（２５）は、前記容器（３）内に配置され又は前記容器（３）の端から間隔を置いて位置する、
請求項１〜９のうちいずれか一に記載のネブライザ。
【発明の詳細な説明】
【技術分野】
【０００１】
本発明は、請求項１又は３の前提部に記載されたネブライザに関する。
【背景技術】
【０００２】
本発明の出発点は、国際公開第２００６／１２５５７７（Ａ２）号パンフレットに記載されているネブライザである。このネブライザは、霧状にされ又は噴霧化されるべき流体のためのリザーバとして、流体の入っている内袋を備えた挿入可能な硬質容器及び流体を送り出して噴霧化する駆動ばねを備えた圧力発生器を有している。
【０００３】
好ましくは、容器は、出荷状態ではネブライザ内にあらかじめ収納される。ネブライザは、最初に使用される前においては完全に閉じられている。かくして、予備収納容器は、運搬管がシール及び隔膜を穿刺して容器の内袋に流体結合することにより開封される。さらに、輸送ロックは、容器がネブライザ内で前後に動くことができるよう開放される。
【０００４】
ネブライザの下側ハウジング部品を回すことにより、駆動ばねを張力下に置くことができ、そして流体を圧力発生器の圧縮チャンバ内に吸い込むことができる。それと同時に、容器をネブライザ内のストローク運動の状態で下側ハウジング部分内に動かし、そして、最初に引張り操作すると、容器はそのベースが下側ハウジング部品内に設けられている穿刺要素によって穿孔して容器のガス抜きを可能にするのが良い。ロック要素の手動作動後、駆動ばねを解除し、圧力チャンバ内の流体を駆動ばねによって圧力下に置き、そして推進ガスを使用しないで、エーロゾルとしてノズルを通ってマウスピース中に送り出し又は噴霧化する。
【先行技術文献】
【特許文献】
【０００５】
【特許文献１】国際公開第２００６／１２５５７７（Ａ２）号パンフレット
【発明の概要】
【発明が解決しようとする課題】
【０００６】
本発明の目的は、容器があらかじめ収納されたサイズが最小限のネブライザを提供することにある。
【課題を解決するための手段】
【０００７】
上記目的は、請求項１又は３記載のネブライザによって達成される。好ましい実施形態は、従属形式の請求項の内容である。
【０００８】
本発明の基本的な技術的思想は、ネブライザの出荷状態であってもネブライザ内に密閉状態の容器が設けられており、ネブライザは、容器をネブライザの最初の使用前又は使用中にネブライザ内で開放するよう構成されていることにある。この基本的な技術的思想を以下、「予備収納容器」とも呼ぶ。これは、作動を容易にする。というのは、ネブライザを開き、容器を挿入し、そして容器を閉じる必要がないからである。かくして、さらに、容器の挿入時の不正確な取り扱いにより引き起こされるネブライザに対する望ましくない汚れ及び損傷を阻止することができる。したがって、容器が挿入中、誤って挿入され又は違ったやり方で誤使用することが不可能なので良好な作動上の安全性が得られる。
【０００９】
本発明の第１の観点によれば、ネブライザは、容器を流体結合する運搬要素を有する。出荷状態では、運搬要素は、容器内に既に部分的に挿入されているが、容器の流体出口を閉鎖する第１のクロージャは依然として閉じられている。このクロージャは、運搬要素のそれ以上の挿入中に開かれる。出荷状態において容器があらかじめ収納された状態のネブライザのサイズを最小限に抑えることが可能である。
【００１０】
本発明の第２の観点によれば、容器は、第１のクロージャ及び第２のクロージャを有し、これらクロージャは両方共、流体出口を閉鎖するために容器の流体出口に関連づけられている。出荷状態では、第２又は外側のクロージャは、第１段階で、特に、容器をネブライザ内に挿入したとき及び／又は容器をあらかじめ収納するためにネブライザを少なくとも部分的に閉じたときにネブライザによって既に開かれる。しかしながら、第１のクロージャは、この状態では、依然として閉鎖状態である。第１のクロージャは、ネブライザの最初の使用前最初の使用中、別個の第２の段階の際にネブライザ内で後で開かれる。かくして、出荷状態では容器があらかじめ収納されたネブライザのサイズを最小限に抑えることが可能である。
【００１１】
特に、本発明により、ネブライザのハウジング部品（下側ハウジング部品）を先行技術の場合よりも更にネブライザ又はそのハウジング内に押し込むことができ又はこれに押して嵌めることができ、その結果、第２のクロージャは、出荷状態では既に開かれ、特に穿孔されているが、第１のクロージャは、依然として閉鎖状態にあることが可能である。その結果、ネブライザは、出荷状態では、先行技術のネブライザよりも特に軸方向に小型化される。
【００１２】
好ましくは、容器は、交換可能ではなく、特に、これを取り外すことができない。この場合も又、これにより、容易な作動が得られ、それ故作動上の信頼性が高くなる。これは又、ネブライザが望ましくない又は許可がない状態で使用され又は再使用されるのを阻止する。
【００１３】
特に、空の容器を満杯の容器で望ましくない仕方で置き換えることを目的としてネブライザを開くことができず、しかも下側ハウジング部品を取り外すことができない。
【００１４】
予備収納容器と容器を交換できないようにする構造の組み合わせの結果として、ユーザは容器が空になるまで１回使用アイテムとしてユーザを用いることができるに過ぎないので、特に容易な作動が得られると共に高い作動上の信頼性が得られ、ネブライザの望ましくない又は許可されていないそれ以上の使用は、容器を交換することができないということにより阻止される。
【００１５】
しかしながら、それ故、ユーザにとってそれに応じて容易な作動及び向上した作動上の信頼性は又、容器が例えば薬局で即ち、熟練スタッフによってあらかじめ収納された場合、オプションとして、容器が交換できないよう作られており、特に、ネブライザをユーザが開くことができないことを条件として開放される場合に達成できる。
【００１６】
本発明の別の利点、特徴、性質及び観点は、特許請求の範囲の記載及び図面を参照して幾つかの好ましい実施形態についての以下の説明を読むと明らかになろう。
【図面の簡単な説明】
【００１７】
【図１】非引張作用状態におけるネブライザの概略断面図である。
【図２】引張作用状態におけるネブライザを図１と比較して９０°回転させた状態で示す概略断面図である。
【図３】ハウジングが部分的に閉鎖され、密閉状態の容器があらかじめ収納された出荷状態のネブライザの概略断面図である。
【図４】ハウジングが完全に閉鎖され、容器が開封された作動引張り操作状態にある図３のネブライザの概略断面図である。
【図５】非引張り操作状態にある図４のネブライザの概略断面図である。
【発明を実施するための形態】
【００１８】
図において、同一の参照符号は、同一又は類似の部品について用いられ、対応の又は同等な性質及び利点は、たとえ説明を繰り返さないでも達成される。
【００１９】
図１及び図２は、流体２、特に、効能の高い医薬組成物等を噴霧化する公知のネブライザ１を示しており、このネブライザは、非引張り操作状態（図１）及び引張り操作状態（図２）で概略的に示されている。ネブライザ１は、特に、携帯用吸入器として構成され、好ましくは、機械的に飲み且つ／或いは推進ガスなしで動作する。
【００２０】
流体２、好ましくは液体、特に医薬組成物を噴霧化すると、エーロゾル１４（図１）が生じ、このようなエーロゾルは、ユーザ（図示せず）により吸息又は吸入可能である。通常、吸入は、患者の苦しんでいる病気又は病訴に応じて、好ましくは定められた間隔で１日に少なくとも１回、特に１日に数回行われる。
【００２１】
ネブライザ１は、流体２を収容した挿入可能な容器３を有する。かくして、この容器３は、噴霧化されるべき流体２のリザーバを形成している。好ましくは、容器３は、最高２００回の投与単位をもたらし、即ち、最高２００回のスプレー又は塗布を可能にするのに十分な量の流体２又は有効物質を収容している。国際公開第９６／０６０１１（Ａ１）号パンフレットに開示されているような典型的な容器３は、約２〜１０ｍｌの量を収容する。
【００２２】
容器３は、実質的に円筒形又はカートリッジの形状をしており、ネブライザ１をいったん開けると、容器を吸入器内に下から挿入でき、所望ならば交換することができる。この容器は、好ましくは硬質又は剛性構造のものであり、流体２は、特に、容器３内の折り畳み式袋４内に保持される。
【００２３】
ネブライザ１は、流体２を特にあらかじめ設定され、オプションとして調節可能な投与量で運搬して噴霧化する圧力発生器５を有する。圧力発生器５は、好ましくは、容器３のためのホルダ６、駆動ばね７（一部しか示さず）、ばね７を解除するよう手動で操作できるロック要素８、運搬要素、例えば運搬管９、逆止弁１０、圧力チャンバ１１及び／又は流体２をマウスピース中に噴霧化するノズル１２を有している。容器３は、ホルダ６によりネブライザ１内に取り付けられ又は保持されていて、運搬管９が、容器３内に入り込むようになっている。ホルダ６は、容器３を交換することができるよう構成されたものであるのが良い。
【００２４】
駆動ばね７を軸方向に引っ張ると、ホルダ６は、容器３及び運搬管９と共に図面において下方に移動し、流体２は、容器３から吸い出され、逆止弁１０を通って圧力発生器５の圧力チャンバ１１内に吸い込まれる（流体２の運搬（吸引ストローク））。
【００２５】
ロック要素８の作動後における次の弛緩中、圧力チャンバ１１内の流体２は、今や閉鎖状態にある逆止弁１０を備えた運搬管９が駆動ばね７の弛緩により上方に戻され、今や加圧ラム又はピストンとして働いているときに加圧下に置かれる。この圧力により、流体２は、ノズル１２中に送り込まれ、次に、図１に示されているようにエーロゾル１４の状態に噴霧化される。粒子の好ましい液滴サイズについては、以下において説明する。
【００２６】
一般に、ネブライザ１は、流体に加わるばね圧力が５〜２００ＭＰａ、好ましくは１０〜１００ＭＰａであり、一ストローク当たりの送り出し流体量が１０〜５０μｌ、好ましくは１０〜２０μｌ、最も好ましくは約１５μｌの状態で動作する。流体２は、エーロゾル１４に変換され又はエーロゾル１４として噴霧化され、このようなエーロゾルの液滴の空気力学径は、最大２０μｍ、好ましくは３〜１０μｍである。好ましくは、発生するジェットスプレーの角度は、２０°〜１６０°、好ましくは８０°〜１００°である。これらの値は、特に好ましい値として本発明の教示に従って構成されるネブライザ１にも当てはまる。
【００２７】
ユーザ（図示せず）は、エーロゾル１４を吸入することができ、その間、少なくとも１つの空気供給開口部１５を通って供給空気をマウスピース１３内に吸い込むことができる。
【００２８】
好ましくは、ネブライザ１又は駆動ばね７を手動で作動させ又は引張り操作することができる。ネブライザ１は、好ましくは、上側ハウジング部品１６及びこの上側ハウジング部品に対して回転可能な内側部品１７を有し（図２）、内側部品は、上側部分１７ａ及び下側部分１７ｂを有し（図１）、他方、特に手動操作可能なハウジング部品（下側ハウジング部品）１８が、好ましくは保持要素１９によってこの内側部品１７に解除自在に取り付けられ、特にこれに装着されている。好ましくは、ハウジング部品１６，１８は、ネブライザ１のハウジングを形成する。容器３を挿入すると共に（或いは）交換するために、ハウジング部分１８をネブライザ１又はそのハウジングから取り外すことができる。
【００２９】
ネブライザ１は、技術の現状と比較してサイズが減少している１つ又は２つ以上の空気供給開口部１５を更に有する。代替的に又は追加的に、後で説明するようにインサート２４をネブライザ１のマウスピース１３内に挿入することができる。
【００３０】
ハウジング部品１８を上側ハウジング部品１６に対して回転させることができ、これに伴って、内側部品１７の部分１７ｂが回転する。その結果、駆動ばね７は、ホルダ６に作用する歯車又は伝動装置（図示せず）によって軸方向に引っ張られる。引張り中、容器３は、容器３が図２に示すような端位置を取るまで軸方向下方に動かされる。この作動又は引張り操作状態では、駆動ばね７は、張力下にある。噴霧化プロセスの際、容器３を駆動ばね７によってその元の位置（図１に示されている非引張り操作位置又は状態）に戻す。かくして、容器３は、引張り操作中及び噴霧化プロセス中、持ち上げ又はストローク運動を行う。
【００３１】
ハウジング部分１８は、好ましくは、キャップ状の下側ハウジング部品を形成し、容器３の下方自由端部周りに又はこの上に嵌まっている。駆動ばね７を引っ張ると、容器３は、その端部分と共にハウジング部品１８内へ（更に）動き又はその端面に向かって動き、他方、ハウジング部品１８内に設けられた通気手段、軸方向に作用するばね２０が、容器のベース（底）２１に接触し、容器が最初に穿刺要素１９に接触すると、このばねは、穿刺要素２２により容器３又はこれに設けられたベースシールを穿孔し、空気を取り込み又は通気させることができる。
【００３２】
ネブライザ１は、好ましくはハウジングの上側部品１６に対する内側部品１７の回転を検出することにより、ネブライザ１の作動を計数するモニタ装置２３を有するのが良い。好ましくは、モニタ装置２３は、作動又は放出投与分の或る特定の回数に達し又はこれを超えると、ネブライザ１の作動又は使用を阻止し、例えば、ロック要素８の作動を阻止する。
【００３３】
次に、図３〜図５を参照して提案対象の吸入器又はネブライザ１の構成及び作動モードについて説明するが、図１及び図２のネブライザ１との本質的な差についてのみ強調する。かくして、図１及び図２に関する説明は、好ましくはそのまま又は類似した仕方で当てはまり、これに対し、図１及び図２のネブライザ１と以下に説明するネブライザ１の特徴の任意所望の組み合わせが可能である。
【００３４】
図３〜図５は、僅かに異なる実施形態としてのネブライザ１を概略断面図で示している。図３は、ネブライザ１を出荷状態で、即ち、依然として密閉された予備収納状態の容器３を備えた状態で示している。この状態では、ネブライザ２のハウジングは、完全には密閉されておらず、特に、ハウジング部品１８は、内側部品１７に完全には押し付けられていない。図４及び図５は、ネブライザ１をハウジングが完全に密閉されると共に容器３が開封された作動及び／又は引張り操作状態で示されている。図４では、ネブライザ１又は駆動ばね７が引張り操作され、即ち、容器３は、その下方位置にある。図５は、ネブライザ１を非引張り状態で、例えば、流体２の１回投与分の送り出し又は放出後の状態で示しており、容器３は、その上方位置にある。
【００３５】
容器３は、図３に示されているように出荷状態ではネブライザ１内に既に設けられ又はあらかじめ収納されている。この状態では、容器３は、依然として密閉されており、即ち、一方において容器３又はその袋４と他方においてネブライザ１若しくはその圧力発生器５又は運搬要素との間には流体結合が存在しない。
【００３６】
容器３は、小出しされるべき流体２を出力する流体出口２４を有している。特に、流体出口２４により、一方において容器３又はその袋４と他方においてネブライザ１、その圧力発生器５又は運搬要素との間の流体結合が可能である。
【００３７】
容器３の非収納状態では、即ち、ネブライザ１内への容器３の取り付け又は予備収納前においては、流体出口２４は、第１又は内側のクロージャ２５により、オプションとして、第２又は外側のクロージャ２６によって閉鎖される。特に、第２のクロージャ２６は、第１のクロージャ２５を覆う。
【００３８】
第１又は内側のクロージャ２５は、好ましくは、隔膜、メンブレン、プラスチックシール等で形成されると共に／或いは容器３の内側に設けられる。
【００３９】
好ましい実施形態では、第２のクロージャ２６は、好ましくは、シール、箔、キャップ等により、特に、金属製及び／又は複合箔等によって形成され、これは、好ましくは、容器３のヘッド側端部又は軸方向端部にホットシールされ又は任意他の適当な仕方で取り付けられる。図示の実施形態では、第２のクロージャ２６は、好ましくはアルミニウム層を備えたホットシール箔によって形成される。
【００４０】
好ましくは、クロージャ２５，２６は、別々の開放が可能であるよう設計され、特に、第２のクロージャ２６を第１のクロージャ２５とは別個独立に開放することができると共に／或いは第１のクロージャ２５の前に開放しなければならないよう設計される。
【００４１】
好ましくは、クロージャ２５，２６は、１つの共通の要素、特に運搬要素又は運搬管９等によって且つ／或いは穿刺によって連続開放が可能であるように設計されている。
【００４２】
好ましい実施形態では、第１のクロージャ２５と第２のクロージャ２６は、軸方向若しくは容器３のストローク運動の方向又は流体２の主出口方向に対して次々に且つ／或いは間隔を置いて配置されている。
【００４３】
好ましくは、第１の又は内側のクロージャ２５は、容器３の出口又はヘッド側端部から容器３又は袋４中に延びるクロージャ部分２７によって形成され又は支持される。第２の又は外側のクロージャ２６は、好ましくは、容器３のヘッド側又は軸方向端部に隣接して配置されると共に／或いはフランジ２８に対して保持され又はこれに連結され、フランジ２８は、クロージャ部分２７又は任意他の適当な部分により形成されるのが良い。しかしながら、他の構成上の手段が採用可能である。
【００４４】
一般に、容器３、流体出口２４、クロージャ２５又は２６は、特に、運搬要素、例えば運搬管９等によると共に／或いは穿刺又は任意他の適当な仕方で開放される。特に、開放は、容器３をネブライザ１、運搬要素又は管９等に対して動かすことによると共に／或いは長手方向又は軸方向運動によって達成される。
【００４５】
本発明によれば、第２のクロージャ２６は、出荷状態では、好ましくはネブライザ１によって自動的に既に開放される。特に、第２のクロージャ２６は、容器３の挿入中、挿入により、挿入時及び／又はネブライザ１のハウジング又はハウジング部品１８の少なくとも部分的閉鎖中、閉鎖により又は閉鎖時に開放される。好ましくは、第１のクロージャ２５は、運搬要素が第１のクロージャ２５、例えば隔膜を穿刺し又は開いたときに、流体２中に物質が全く落下することがないよう設計されているが、クロージャ部品２７等に連結されたままの状態であると共に／或いはわきに回動される。
【００４６】
具体的に説明すると、容器３は、特に輸送ロック２９によってハウジング部品１８に取り付けられ又はこれによって保持され、或いはこの中に固定され、輸送ロック２９は、好ましくは、ハウジング部品１８内に又はハウジング部品１８のところに配置される。輸送ロック２９は、容器３を好ましくは一時的に、特にハウジング部品１８をネブライザ１に取り付ける前に且つ／或いは出荷状態において保持する。具体的に言えば、輸送ロック２９は、容器３の流体結合中及び／又は容器３の機械的動作中、この場合ホルダ６により固定状態に保持する。
【００４７】
好ましくは、第２のクロージャ２６は、容器３を予備収納する際及び／又はハウジング部品１８をネブライザ１に取り付ける際、特に、ハウジング部品１８をネブライザ１に部分的にスナップ装着し又は押し嵌めする（押して嵌める）際、自動的に開放され、特に穿孔される。この場合、開放又は穿孔は、好ましい実施形態では、運搬要素又は運搬管９が出荷状態では第２のクロージャ２６を貫通し、特にクロージャ部品２７中に延び、即ち、容器３内に部分的に延びることによって行なわれる。かくして、ネブライザ１の非常にコンパクトな構成及び小さなサイズ若しくは軸方向広がりを出荷状態において達成することができる。特に、ハウジング部品１８を穿孔技術の場合よりも出荷状態においてネブライザ１又はそのハウジングに顕著に更にスナップ装着でき又は押し嵌めすることができる。
【００４８】
出荷状態では、第１のクロージャ２５並びにかくして容器３及び流体出口２４は、閉鎖状態のままである。
【００４９】
出荷状態では、ネブライザ１又はハウジング部品１８は、好ましくは、特に固定部材３０によって固定され、容器３及び／又はハウジング部品１８は、ネブライザ１又は上側ハウジング部品１６から十分に間隔を置いた状態に保持されると共に／或いは運搬要素若しくは管９、ハウジング又は内側ハウジング部品１７等に完全に挿入され又はこれに嵌められることがないように且つ／或いは容器３、即ち、第１のクロージャ２５の開放（完全な開放）が阻止されるようになっている。
【００５０】
図示の実施形態では、固定部材３０は、好ましくは、ハウジング部品１８と上側ハウジング部品１６との間に設けられ、好ましくは、ハウジング部品１６，１８に係合し又はこれらの間に嵌まり、その結果、ハウジング部品又は下側部品１８が上側ハウジング部品１６に対して軸方向に固定され又はこれから十分に遠ざかって又はこれから間隔を置いて維持され若しくは保たれ、それにより密閉された（依然として密閉された）容器３又は第１のクロージャ２５を運搬管９から遠ざかって保持することができるようになっている。
【００５１】
好ましい実施形態では、固定手段又は固定部材３０は、少なくとも実質的に中空であると共に／或いは円筒形であり、ハウジング部品（下側ハウジング部品）１８と上側ハウジング部品１６との間に軸方向に配置される。ネブライザ１を作動させ又はこれを使用可能な状態に準備し、即ち、ハウジング部品１８を十分に軸方向に押し、それにより容器３を開くためには、先ず最初に、固定部材３０を取り外し若しくは解除し又は開かなければならない。図示の好ましい実施形態では、固定部材３０は、例えばプラスチックで作られた小旗のように構成されると共に／或いは手動で開かれ、取り除かれ又は破壊されるのが良い。固定部材３０は、これに変わって又は同時に、出所証印（seal of origin）を形成し又は構成することができる。しかしながら、例えばセキュリティタブ等の形態をした固定部材３０の他の実施形態も又、採用可能である。
【００５２】
好ましくは、容器３及び／又はハウジング部品１８は、出荷状態では確実に又は圧力嵌め若しくはインターロック状態で保持される。これは、好ましい実施形態では、特に容器３とハウジング部品１８との間で働く輸送ロック２９及びハウジング部品１８とネブライザ１のハウジング又は上側ハウジング部品１６との間で働く固定手段又は固定部材３０等によって達成される。しかしながら、輸送ロック２９又は固定部材３０は、一方において容器３と他方においてネブライザ１、そのハウジング、上側ハウジング部品１６、内側ハウジング部品１７又はホルダ６との間で直接働いても良い。
【００５３】
予備収納容器３、即ちその第１のクロージャ２５は、出荷状態では、即ち、容器３があらかじめ収納された状態の非作動状態では依然として閉じられている。この非作動位置では、ハウジング部品１８は、好ましくは、これがなくなることがないよう、特に、解除することができないよう固定される。この場合、ネブライザ１のハウジング部品又は下側部品１８をこれが最初に軸方向に（部分的に軸方向に押し嵌めされた後、ネブライザ１からもはや取り外すことはできず、即ち、ネブライザ１をもはや開くことができず、その結果、容器３を交換することができず、即ち、再び取り外すことができない。
【００５４】
ハウジング部品１８を固定するため、ハウジング部品は、好ましくは、確実に又はインターロック若しくは圧力嵌め状態で保持され又はラッチ止めされる。好ましくは、ハウジング部品１８は、少なくとも１つのラッチ止めラグ３１、突出部、ノーズ等がハウジング部品１８等に設けられた関連のラッチ止め凹部３２に嵌まり込み、それによりハウジング部品１８をインターロック係合により軸方向に取り外すことができないようにすることによって固定される。本実施形態では、ラッチ止めラグ３１は、好ましくは屈曲可能なラッチ止めアーム３３により形成され又はこのようなラッチ止めアーム３３のところに形成されるのが良い。かくして、ハウジング部品１８をネブライザ１又はそのハウジング若しくは上側ハウジング部品１６に固定するラチェット状手段が形成される。しかしながら、他の構成上の手段も又、採用可能である。
【００５５】
固定部材３０をいったん取り外すと、ユーザ（図示せず）は、ハウジング部品１８を軸方向に十分に押すことができ、それにより、運搬要素又は運搬管９を挿入して容器３、即ち第１のクロージャ２５を開けることができる。図４及び図５は、ハウジング部品１８が十分に押されると共に／或いは容器３が開いた（ネブライザ１若しくはその圧力発生器５又は運搬要素若しくは管９に流体結合された）この作動状態を示している。この押し込み又は作動状態では、ハウジング部品１８はこの場合も又、好ましくは、インターロック係合により、即ち、軸方向圧力嵌め方式により、特にラッチ止めアーム３３又はラッチ止めラグ３１と対応の別のラッチ止め凹部３２との嵌合により又は他の何らかの機械的固定器具によって固定され又は軸方向に取り付けられる。
【００５６】
図４は、ネブライザ１又は容器３を作動状態で示しており、容器３、即ち第１のクロージャ２５が開いており、即ち、容器３又はその流体２は、ネブライザ１又はその圧力発生器５に流体結合され、ハウジング部品１８は、軸方向に完全に押し込められている。ホルダ６を容器３のヘッド端部と係合（完全係合）関係にして、吸引／引張り及び押し込みストロークのために容器３を後及び／又は前に動かすことができるようにするため、最初にネブライザ１又は管ばね７を引張り操作することが必要な場合がある。この引張り操作プロセス中、ホルダ６を運搬管９と一緒にハウジング部品１８に向かって又はこの中に軸方向に動かし、かくしてホルダ６を容器３と係合（完全係合）関係にすると共に容器３をハウジング部品１８のベースの付近で穿刺要素２２に動かして当て又は押し付け、それにより容器ベース２１に設けられているガス抜き穴３４を穿刺し又は開く。図４は、ネブライザ１をこの引張り操作且つ作動状態で示している。ホルダ６は、容器３に係合し、運搬管９は、容器３内に完全に挿入されている。
【００５７】
図５は、ネブライザ１を弛緩且つ非引張り状態で、即ち、流体２の１回投与分の噴霧化又は放出後の状態で示している。ホルダ６及び容器３は、上方位置にある。ホルダ６は、容器３と依然として係合しており、ネブライザ１の次の使用中、係合状態のままである。さらに、容器３は、依然として開くと共に流体結合されており、即ち、ネブライザ１は、作動状態のままである。
【００５８】
図３に示されている出荷状態では、即ち、容器３、即ち第１のクロージャ２５が閉鎖された（依然として閉鎖された）状態では、ネブライザ１をユーザの元に輸送し又は送り届けることができる。すると、ユーザは、容器３があらかじめ収納された状態でネブライザ１を保管することができる。容器３は、ネブライザ１の最初の使用前に又は使用中に、即ち、固定部材３０を取り外し、ネブライザ１又はハウジング若しくはハウジング部品１８を完全に閉鎖したときに後で開放される。
【００５９】
容器３の開放は、好ましくは、もっぱら機械的手段及び／又は手動による作動によって実施される。しかしながら、追加的に又は代替的に、容器３を他の仕方で、例えば、化学的手段、電気的手段、磁気的手段、空気圧手段、油圧手段又は類似の手段によって開放することが可能である。
【００６０】
提案対象のネブライザ１は、固定部材３０の取り外し及びハウジング部品１８の軸方向押し嵌め（完全軸方向押し嵌め）後に作動され、このようなネブライザ１を図１及び図２に示されたネブライザ１と同じ仕方で使用することができる。容器３の予備収納は、誤った容器３又は使用済みの容器３がユーザによりネブライザ１内に挿入されるのを阻止する。さらに、それにより、別々に供給される容器３がネブライザ１への挿入前に偶発的に開かれることがないようになる。さらに、提案した手段は、ネブライザ１が開かれ、容器３が不適切に使用された場合、ネブライザ１、例えば運搬管９等に対する汚れ又は損傷の恐れを阻止する。
【００６１】
この場合、好ましくは容器３を取り外すことができないので、特に、ネブライザ１を開くことができず、しかもハウジング部品１８を再び取り外すことができないので、ユーザによる容器３の望ましくない交換及び特にユーザによるネブライザ１の望ましくない臨時の又は次の開放を阻止することができる。
【００６２】
ネブライザ１の出荷状態での容器３、特に第１のクロージャ２５の望ましくない開放を阻止するため、好ましくは輸送ロック２９が設けられる。例えば摩擦係合、強制係合又はインターロック係合により、輸送ロック２９は、例えば輸送中、ネブライザ１の偶発的な落下等が起こった場合に容器３が望ましくないことにネブライザ１内で軸方向に動くのを阻止する。
【００６３】
以下において、輸送ロック２９の好ましい具体化について説明する。注目されなければならないこととして、輸送ロック２９は、出荷状態では、容器３の好ましい部分的な開放又は穿孔、特に、即ち、第２のクロージャ２６の開放とは別個独立に実現できる。特に、輸送ロック２９の提案されている機能及び構成を特許請求の範囲に記載された特徴とは別個独立に実現できる。
【００６４】
好ましい実施形態では、輸送ロック２９は、出荷状態では、特に図３に示されているようにその好ましくは半径方向に拡張されたベース２１又は縁部３６周りに係合する（半径方向に係合する）ことにより容器３を軸方向に保持する少なくとも１本の把持アーム３５、例えば複数本の把持アーム３５を有する。
【００６５】
把持アーム３５は、好ましくは、ハウジング部品１８の底部、ベース又は端面を形成することができる部材３７によって保持され、形成され又はこれに取り付けられ或いはこれと一体に成形される。好ましくは、部材３７又は底部は、把持アーム３５が屈曲し又は回動することができるよう把持アーム３５を保持する。
【００６６】
好ましくは、穿刺要素２２も又、部材３７によって形成され又はこれによって保持される。
【００６７】
注目されなければならないこととして、部材３７及び／又は輸送ロック２９をハウジング部品１８内に挿入することができる。輸送ロック２９又はその一部も又、ハウジング部品１８により形成され又はこの中に形成されても良い。
【００６８】
好ましくは、輸送ロック２９は、多数の又は２つだけの互いに異なる部品、この場合、把持アーム３５及び以下に説明する制御部材３９により形成される。
【００６９】
輸送ロック２９、特に把持アーム３５は、好ましくは容器ベース２１又はガス抜き開口部３４が図３に示されているように穿刺要素２２から軸方向に間隔を置いて位置するように容器３を出荷状態で（輸送ロック２９が閉じられた状態で）保持する。
【００７０】
輸送ロック２９を開くため、把持アーム３５を半径方向外方向に屈曲させるのが良い。好ましくは、輸送ロック２９の開放又は把持アーム３５の屈曲は、ネブライザ１又はそのハウジングを完全に閉じると、即ち、ハウジング部品１８を上側ハウジング部品１６に完全にスナップ装着し又は押し嵌めすると、自動的に起こる。この（軸方向又は入れ子状）閉鎖運動中、輸送ロック２９が開かれ、容器３が好ましくはこの運動の最後の一部分にのみに且つ／或いは最後の完全に閉じられた位置に達するほんの直前に又は最初の完全に閉じられた位置にちょうど達したときに軸方向に解除される。
【００７１】
ネブライザ１の閉鎖運動により輸送ロック２９が好ましくは自動的に開かれる。特に、輸送ロック２９は、ネブライザ１のハウジング、内側部品１７若しくはその下側部分１７ｂ、ばね７を支持した保持リング３８等との直接的若しくは間接的相互作用又はこれによる作動によって開かれる。好ましくは、容器３及び／又は第１のクロージャ２５は、輸送ロック２９と共に、共通作動手段によって、この場合、ネブライザ１若しくはそのハウジング又は下側部品１８によって開かれる。
【００７２】
好ましい実施形態では、輸送ロック２９は、好ましくは全ての把持アーム３５を同時に作動させ、開放し、これらに係合し又はこれらを回動させる制御部材３９、特にリング等を有する。特に、制御部材３９又は輸送ロック２９は、直線又は軸方向運動を把持アーム３５の回動又は半径方向運動に変換することができる。
【００７３】
制御部材３９は、輸送ロック２９を閉じたときに図３において上方位置で示されている。この位置では、制御部材３９は、例えば制御部材３９等の半径方向外方に当接する部分（図示せず）によって把持アーム３５を閉鎖位置に、特に圧力嵌め状態で固定することができる。
【００７４】
制御部材３９は、輸送ロック２９を開放するために軸方向に動くことができ又はずれることができる。特に、制御部材３９は、ネブライザ１又はそのハウジングを完全に閉じ又はハウジング部品１８に完全に押し嵌めし又はスナップ装着したときに下方に移動可能である。好ましくは、内側部品１７又はリング３８は、制御部材３９を下方に又は把持アーム３５に対して相対的に押して把持アーム３５が解除され、特に、能動的又は確実に開かれ、回動され又は屈曲されて輸送ロック２９を開くと共に／或いは容器３を解除するようになっている。図示の実施形態では、制御部材３９は、その軸方向端部又は軸方向カラー若しくは環状リング部分４０が把持アーム３５の作動部分４１と相互作用して作動部分４１の軸方向下方運動の結果として、把持アーム３５が回動すると共に把持アーム３５が半径方向外方に撓む。把持アーム３５の撓み特性は、用いられる材料、部材３７との連結具合等で決まる。
【００７５】
制御部材３９は、好ましくは、輸送ロック２９又は把持アーム３５を確実に開く。
【００７６】
図４及び図５は、輸送ロック２９及び把持アーム３５を開放位置で、即ち、容器３が自由に軸方向に動くことができる状態で示している。特に、制御部材３９がその下方端位置で示されている。この位置では、制御部材３９は、好ましくは、特に圧力嵌め又は押し込み嵌め若しくはスナップ連結により下側部品１８内にロックされ又は固定され、その結果、輸送ロック２９及び把持アーム３５が永続的に開いた状態に保持されるようになっている。
【００７７】
しかしながら、輸送ロック２９の他の構成上の手段が採用可能である。この点に関して、特に国際公開第２００６／１２５５７７（Ａ２）号パンフレットを参照されたい。なお、この国際公開パンフレットは、これ又実現可能な他の幾つかの構成上の手段を示している。
【００７８】
好ましくは、非作動状態では、即ち、ハウジング部品１８が完全に押し嵌めされていないとき、ネブライザ１は、圧力発生器５の引張り操作を阻止し、即ち、具体的には上側ハウジング部品１６に対する内側部品１７の回転を阻止するようロックされるのが良い。これは、圧力発生器５が引張り操作状態下にはない出荷状態でネブライザ１を供給する場合に重要であると言える。したがって、吸入器１は、ハウジング部品１８を完全に押し嵌めしたときに内側部品１７を上側ハウジング部品１６に対してだけ回転することができるようバリヤを有するのが良い。代替的に又は追加的に、固定部材３０は、出荷状態での下側部品１８の押し嵌めを阻止するだけでなく、固定部材３０が開かれ、解除され又は取り外されるまで内側部品１７の回転を阻止することができる。
【００７９】
図３〜図５は、マウスピース１３を覆うマウスピースカバー４２を備えたネブライザ１を示している。
【００８０】
一般的に言って、提案対象のネブライザ１では、容器３は、好ましくは、ネブライザ１内に挿入可能であり、即ち、組み込み可能であることは指摘されるべきである。その結果、容器３は、好ましくは、別個のコンポーネントである。しかしながら、容器３は、理論的には、ネブライザ１又はネブライザ１の一部によって直接形成されても良く、或いは、違ったやり方でネブライザ１に組み込まれても良い。
【００８１】
上述したように、上述の実施形態の個々の特徴、観点及び原理は又、所望に応じて互いに組み合わせ可能であり、これらを特に図１及び図５の公知のネブライザに使用するのが良いが、同様な又は異なるネブライザにも使用できる。
【００８２】
自立型機器等とは異なり、提案対象のネブライザ１は、好ましくは、携帯可能であるよう設計され、特に、可搬式の手操作型器具である。
【００８３】
しかしながら、提案した解決手段を本明細書において具体的に説明したネブライザ１だけでなく、他のネブライザ又は吸入器、例えば粉末吸入器又はいわゆる計量投与型吸入器にも利用できる。
【００８４】
好ましくは、流体２は、上述したように液体、特に水性調合薬である。しかしながら、流体は、他の何らかの調合薬、サスペンション等であっても良い。
【００８５】
変形実施形態によれば、流体２は、粒子又は粉末を更に含んでいても良い。この場合、噴出ノズル１２ではなく、他の何らかの種類の供給装置、特に、流体又は粉末等をマウスピース１３内に供給する噴出開口部（図示せず）又は供給チャネル（図示せず）が設けられるのが良い。オプションとしての給気開口部１５は、この場合、大気を好ましくは並列に供給してマウスピース１３を介する吸息又は吸入に十分な量の空気流を発生させ又はその実現を可能にするのに役立つ。
【００８６】
必要ならば、流体２は、推進ガスによって霧状にされても良い。
【００８７】
好ましくは医療用の流体２の好ましい成分及び／又は調合薬は、国際公開第２００９／０４７１７３（Ａ２）号パンフレットに列記されており、この国際公開を参照により引用し、その記載内容を本明細書の一部とする。上述したように、これらは、水性又は非水性溶液、混合物、エタノールを含み又は溶剤のない調合薬等であって良い。
【符号の説明】
【００８８】
１  ネブライザ
２  流体
３  容器
４  袋
５  圧力発生器
６  ホルダ
７  駆動ばね
８  ロック要素
９  運搬管
１０  逆止弁
１１  圧力チャンバ
１２  ノズル
１３  マウスピース
１４  エーロゾル
１５  空気供給開口部
１６  上側ハウジング部品
１７  内側部品
１７ａ  内側部品の上側部分
１７ｂ  内側部品の下側部分
１８  ハウジング部品（下側部品）
１９  保持要素
２０  ばね
２１  容器ベース
２２  穿刺要素
２３  モニタ装置
２４  流体出口
２５  第１のクロージャ
２６  第２のクロージャ
２７  クロージャ部分
２８  フランジ
２９  輸送ロック
３０  固定部材
３１  ラッチ止めラグ
３２  ラッチ止め凹部
３３  ラッチ止めアーム
３４  通気穴
３５  把持アーム
３６  縁部
３７  部材
３８  リング
３９  制御部材
４０  リング部分
４１  作動部分
４２  マウスピースカバー
【図１】
0005640095.tif 000002
【図２】
0005640095.tif 000003
【図３】
0005640095.tif 000004
【図４】
0005640095.tif 000005
【図５】
0005640095.tif 000006